(57)【要約】【課題】移動局ＵＥが、第１通信方式の移動通信システムから第２通信方式の移動通信システムへのＲｅｄｉｒｅｃｔｉｏｎ後、即座に、第１通信方式の移動通信システムに戻ってきてしまうという問題点を解決する。【解決手段】本発明に係る移動通信方法は、第１通信方式の無線アクセスネットワーク装置が、第１通信方式の無線アクセスネットワーク装置との間で第１無線コネクションを確立している状態の移動局に対して、第２通信方式の移動通信システムに遷移するように指示する工程Ａと、移動局が、第２通信方式の無線アクセスネットワーク装置との間で第２無線コネクションを確立した後、第２通信方式の移動通信システムが、移動局に対して、所定信号によって、移動局において待ち受けを行う通信方式を決定する際に用いられる優先度を通知する工程Ｂとを有する。【選択図】図５
2011044915.tif 000002
【特許請求の範囲】
【請求項１】
第１通信方式の無線アクセスネットワーク装置が、該第１通信方式の無線アクセスネットワーク装置との間で第１無線コネクションを確立している状態の移動局に対して、第２通信方式の移動通信システムに遷移するように指示する工程Ａと、
前記移動局が、第２通信方式の無線アクセスネットワーク装置との間で第２無線コネクションを確立した後、前記第２通信方式の移動通信システムが、前記移動局に対して、所定信号によって、該移動局において待ち受けを行う通信方式を決定する際に用いられる優先度を通知する工程Ｂとを有することを特徴とする移動通信方法。
【請求項２】
第１通信方式の無線アクセスネットワーク装置が、該第１通信方式の無線アクセスネットワーク装置との間で第１無線コネクションを確立している状態の移動局に対して、第２通信方式の移動通信システムに遷移するように指示する工程Ａと、
前記第１通信方式の無線アクセスネットワーク装置が、前記第２通信方式の移動通信システムに対して、前記移動局に対して前記指示を行ったことを通知する工程Ｂと、
前記第２通信方式の移動通信システムが、前記通知に応じて、前記移動局宛てのページング信号を送信する工程Ｃと、
前記移動局が、前記ページング信号に応じて、前記第２通信方式の無線アクセスネットワーク装置に対して、前記第２無線コネクションの確立を要求する信号を送信する工程Ｄとを有することを特徴とする移動通信方法。
【請求項３】
前記工程Ａにおいて、前記第１通信方式の無線アクセスネットワーク装置は、前記移動局の位置と前記第２通信方式の移動通信システム配下のセルの配置とに基づいて、該移動局に対して、前記指示を行うことを特徴とする請求項１又は２に記載の移動通信方法。
【請求項４】
第２通信方式の無線アクセスネットワーク装置であって、
第１通信方式の無線アクセスネットワーク装置との間で第１無線コネクションを確立している状態の移動局が、該第１通信方式の無線アクセスネットワーク装置からの指示に応じて、第２通信方式の移動通信システムに遷移し、前記第２通信方式の無線アクセスネットワーク装置との間で第２無線コネクションを確立した後、所定信号によって、該移動局において待ち受けを行う通信方式を決定する際に用いられる優先度を通知するように構成されている優先度通知部を具備することを特徴とする無線アクセスネットワーク装置。
【請求項５】
第２通信方式の無線アクセスネットワーク装置であって、
第１通信方式の無線アクセスネットワーク装置から、該第１通信方式の無線アクセスネットワーク装置との間で第１無線コネクションを確立している状態の移動局に対して、第２通信方式の移動通信システムに遷移するように指示を行った旨の通知を受信した場合に、該移動局宛てのページング信号を送信するように構成されているページング信号送信部を具備することを特徴とする無線アクセスネットワーク装置。
【請求項６】
第２通信方式の交換局であって、
第１通信方式の無線アクセスネットワーク装置との間で第１無線コネクションを確立している状態の移動局が、該第１通信方式の無線アクセスネットワーク装置からの指示に応じて、第２通信方式の移動通信システムに遷移し、前記第２通信方式の無線アクセスネットワーク装置との間で第２無線コネクションを確立した後、第２通信方式の無線アクセスネットワーク装置に対して、所定信号によって、該移動局において待ち受けを行う通信方式を決定する際に用いられる優先度を通知するように指示する優先度通知部を具備することを特徴とする交換局。
【請求項７】
第２通信方式の交換局であって、
第１通信方式の無線アクセスネットワーク装置から、該第１通信方式の無線アクセスネットワーク装置との間で第１無線コネクションを確立している状態の移動局に対して、第２通信方式の移動通信システムに遷移するように指示を行った旨の通知を受信した場合に、第２通信方式の無線アクセスネットワーク装置に対して、該移動局宛てのページング信号を送信するように指示するページング信号送信部を具備することを特徴とする交換局。
【請求項８】
第１通信方式の無線アクセスネットワーク装置であって、
該第１通信方式の無線アクセスネットワーク装置との間で第１無線コネクションを確立している状態の移動局の位置と第２通信方式の移動通信システム配下のセルの配置とに基づいて、該移動局に対して該第２通信方式の移動通信システムに遷移するように指示するべきか否かについて判断するように構成されている判断部を具備することを特徴とする無線アクセスネットワーク装置。
【発明の詳細な説明】
【技術分野】
【０００１】
本発明は、移動通信方法、無線アクセスネットワーク装置及び交換局に関する。
【背景技術】
【０００２】
ＷＣＤＭＡ（Ｗｉｄｅｂａｎｄ-ＣＤＭＡ）方式の移動通信システム及びＬＴＥ（Ｌｏｎｇ  Ｔｅｒｍ  Ｅｖｏｌｕｔｉｏｎ）方式の移動通信システムが混在する移動通信システムでは、ＷＣＤＭＡ方式の移動通信システムとＬＴＥ方式の移動通信システムとの間で、各移動局ＵＥに対するＩｎｔｅｒ-ＲＡＴ（Ｒａｄｉｏ  Ａｃｃｅｓｓ  Ｔｅｃｈｎｏｌｏｇｙ）モビリティ制御を行うことができるように構成されている。
【０００３】
かかる移動通信システムにおいて、ＷＣＤＭＡ方式の移動通信システムにおいてＲＲＣコネクションを確立している状態の移動局に対して、ＬＴＥ方式の移動通信システムへの「Ｒｅｄｉｒｅｃｔｉｏｎ指示」を送信すると、かかる移動局ＵＥは、ＷＣＤＭＡ方式の移動通信システムにおいて確立していたＲＲＣコネクションを解放し、ＬＴＥ方式の移動通信システム配下のセルにおける待ち受けを開始するように構成されている。
【先行技術文献】
【特許文献】
【０００４】
【特許文献１】特開２００７-１１０７２号公報
【発明の概要】
【発明が解決しようとする課題】
【０００５】
上述の移動通信システムにおいて、移動局ＵＥは、プロファイル情報の一種として管理している「優先度（Ｐｒｉｏｒｉｔｙ）」に基づいて、待ち受けを行うＲＡＴを決定するように構成されている。
【０００６】
したがって、移動局ＵＥが、上述のように、ＬＴＥ方式の移動通信システムへの「Ｒｅｄｉｒｅｃｔｉｏｎ指示」によって、ＬＴＥ方式の移動通信システム配下のセルにおける待ち受けを開始した場合であっても、ＷＣＤＭＡ方式の「優先度」が、ＬＴＥ方式の「優先度」よりも高い場合には、移動局ＵＥは、所定タイミングで、再度、ＷＣＤＭＡ方式の移動通信システム配下のセルにおける待ち受けを開始してしまう。
【０００７】
このように、上述の移動通信システムでは、第１通信方式の移動通信システムが、移動局ＵＥに対して、第１通信方式（例えば、ＷＣＤＭＡ方式）の移動通信システムから第２通信方式（例えば、ＬＴＥ方式）の移動通信システムへの「Ｒｅｄｉｒｅｃｔｉｏｎ指示」を送信した場合であっても、予め第２通信方式の「優先度」が第１通信方式の「優先度」よりも高いことを指示しなければ、移動局ＵＥは、第２通信方式の「優先度」が第１通信方式の「優先度」よりも低いものとして管理してしまい、Ｒｅｄｉｒｅｃｔｉｏｎ後、第１通信方式の移動通信システムに戻ってきてしまう、すなわち、第１通信方式の移動通信システム配下のセルにおける待ち受けを開始してしまうという問題点があった。
【０００８】
また、第１通信方式の移動通信システムが、移動局ＵＥに対して、予め第２通信方式の「優先度」が第１通信方式の「優先度」よりも高いことを指示した上で「Ｒｅｄｉｒｅｃｔｉｏｎ指示」を送信した場合であっても、移動局ＵＥが、第２通信方式の移動通信システムで自律的にＲＲＣコネクションを確立しなければ、第２通信方式の移動通信システムで待ち受けを行っている状態に留まり、結果として、ユーザにとっては呼が切断されたように見えるという問題点があった。
【０００９】
そこで、本発明は、上述の課題に鑑みてなされたものであり、移動局ＵＥが、第１通信方式の移動通信システムから第２通信方式の移動通信システムへのＲｅｄｉｒｅｃｔｉｏｎ後、即座に、第１通信方式の移動通信システムに戻ってきてしまうという問題点、及び、第２通信方式の移動通信システムへのＲｅｄｉｒｅｃｔｉｏｎ後、移動局ＵＥが待ち受け状態に留まってしまうという問題点を解決することができる移動通信方法、無線アクセスネットワーク装置及び交換局を提供することを目的とする。
【課題を解決するための手段】
【００１０】
本発明の第１の特徴は、移動通信方法であって、第１通信方式の無線アクセスネットワーク装置が、該第１通信方式の無線アクセスネットワーク装置との間で第１無線コネクションを確立している状態の移動局に対して、第２通信方式の移動通信システムに遷移するように指示する工程Ａと、前記移動局が、第２通信方式の無線アクセスネットワーク装置との間で第２無線コネクションを確立した後、前記第２通信方式の移動通信システムが、前記移動局に対して、所定信号によって、該移動局において待ち受けを行う通信方式を決定する際に用いられる優先度を通知する工程Ｂとを有することを要旨とする。
【００１１】
本発明の第２の特徴は、移動通信方法であって、第１通信方式の無線アクセスネットワーク装置が、該第１通信方式の無線アクセスネットワーク装置との間で第１無線コネクションを確立している状態の移動局に対して、第２通信方式の移動通信システムに遷移するように指示する工程Ａと、前記第１通信方式の無線アクセスネットワーク装置が、前記第２通信方式の移動通信システムに対して、前記移動局に対して前記指示を行ったことを通知する工程Ｂと、前記第２通信方式の移動通信システムが、前記通知に応じて、前記移動局宛てのページング信号を送信する工程Ｃと、前記移動局が、前記ページング信号に応じて、前記第２通信方式の無線アクセスネットワーク装置に対して、前記第２無線コネクションの確立を要求する信号を送信する工程Ｄとを有することを要旨とする。
【００１２】
本発明の第３の特徴は、第２通信方式の無線アクセスネットワーク装置であって、第１通信方式の無線アクセスネットワーク装置との間で第１無線コネクションを確立している状態の移動局が、該第１通信方式の無線アクセスネットワーク装置からの指示に応じて、第２通信方式の移動通信システムに遷移し、前記第２通信方式の無線アクセスネットワーク装置との間で第２無線コネクションを確立した後、所定信号によって、該移動局において待ち受けを行う通信方式を決定する際に用いられる優先度を通知するように構成されている優先度通知部を具備することを要旨とする。
【００１３】
本発明の第４の特徴は、第２通信方式の無線アクセスネットワーク装置であって、第１通信方式の無線アクセスネットワーク装置から、該第１通信方式の無線アクセスネットワーク装置との間で第１無線コネクションを確立している状態の移動局に対して、第２通信方式の移動通信システムに遷移するように指示を行った旨の通知を受信した場合に、該移動局宛てのページング信号を送信するように構成されているページング信号送信部を具備することを要旨とする。
【００１４】
本発明の第５の特徴は、第２通信方式の交換局であって、第１通信方式の無線アクセスネットワーク装置との間で第１無線コネクションを確立している状態の移動局が、該第１通信方式の無線アクセスネットワーク装置からの指示に応じて、第２通信方式の移動通信システムに遷移し、前記第２通信方式の無線アクセスネットワーク装置との間で第２無線コネクションを確立した後、第２通信方式の無線アクセスネットワーク装置に対して、所定信号によって、該移動局において待ち受けを行う通信方式を決定する際に用いられる優先度を通知するように指示する優先度通知部を具備することを要旨とする。
【００１５】
本発明の第６の特徴は、第２通信方式の交換局であって、第１通信方式の無線アクセスネットワーク装置から、該第１通信方式の無線アクセスネットワーク装置との間で第１無線コネクションを確立している状態の移動局に対して、第２通信方式の移動通信システムに遷移するように指示を行った旨の通知を受信した場合に、第２通信方式の無線アクセスネットワーク装置に対して、該移動局宛てのページング信号を送信するように指示するページング信号送信部を具備することを要旨とする。
【００１６】
本発明の第７の特徴は、第１通信方式の無線アクセスネットワーク装置であって、該第１通信方式の無線アクセスネットワーク装置との間で第１無線コネクションを確立している状態の移動局の位置と第２通信方式の移動通信システム配下のセルの配置とに基づいて、該移動局に対して該第２通信方式の移動通信システムに遷移するように指示するべきか否かについて判断するように構成されている判断部を具備することを要旨とする。
【発明の効果】
【００１７】
以上説明したように、本発明によれば、移動局ＵＥが、第１通信方式の移動通信システムから第２通信方式の移動通信システムへのＲｅｄｉｒｅｃｔｉｏｎ後、即座に、第１通信方式の移動通信システムに戻ってきてしまうという問題点、及び、第２通信方式の移動通信システムへのＲｅｄｉｒｅｃｔｉｏｎ後、移動局ＵＥが待ち受け状態に留まってしまうという問題点を解決することができる移動通信方法、無線アクセスネットワーク装置及び交換局を提供することができる。
【図面の簡単な説明】
【００１８】
【図１】本発明の第１の実施形態に係る移動通信システムの全体構成図である。
【図２】本発明の第１の実施形態に係る移動局の機能ブロック図である。
【図３】本発明の第１の実施形態に係る交換局の機能ブロック図である。
【図４】本発明の第１の実施形態に係る無線基地局の機能ブロック図である。
【図５】本発明の第１の実施形態に係る移動通信システムの動作を示すシーケンス図である。
【図６】本発明の変更例１に係る無線回線制御局の機能ブロック図である。
【図７】本発明の変更例１に係る移動通信システムの動作を示すシーケンス図である。
【発明を実施するための形態】
【００１９】
（本発明の第１の実施形態に係る移動通信システムの構成）
図１乃至図４を参照して、本発明の第１の実施形態に係る移動通信システムの構成について説明する。
【００２０】
本実施形態に係る移動通信システムは、第１通信方式の移動通信システム（無線アクセスネットワーク）として、ＷＣＤＭＡ方式の移動通信システム（無線アクセスネットワーク）を具備し、第２通信方式の移動通信システム（無線アクセスネットワーク）として、ＬＴＥ方式の移動通信システム（無線アクセスネットワーク）を具備している。
【００２１】
具体的には、図１に示すように、本実施形態に係る移動通信システムは、ＷＣＤＭＡ方式の交換局ＳＧＳＮと、ＷＣＤＭＡ方式の無線アクセスネットワーク装置である無線回線制御局ＲＮＣと、ＬＴＥ方式の交換局ＭＭＥと、ＬＴＥ方式の無線アクセスネットワーク装置である無線基地局ｅＮＢと、ＷＣＤＭＡ方式の交換局ＳＧＳＮ及びＬＴＥ方式の交換局ＭＭＥに接続されている移動管理サーバＨＬＲ（Ｈｏｍｅ  Ｌｏｃａｔｉｏｎ  Ｒｅｇｉｓｔｅｒ）とを具備している。
【００２２】
なお、本実施形態に係る移動通信システムにおいて、ＷＣＤＭＡ方式の無線アクセスネットワーク装置として、無線回線制御局ＲＮＣの代わりに、フェムトセル用無線基地局ＮｏｄｅＢを収容する装置ＨＮＢ-ＧＷが用いられていてもよいし、ＬＴＥ方式の無線アクセスネットワーク装置として、無線基地局ｅＮＢの代わりに、フェムトセル用無線基地局ｅＮＢを収容する装置ＨｅＮＢ-ＧＷが用いられていてもよい。
【００２３】
本実施形態に係る移動通信システムでは、移動局ＵＥに対するＩｎｔｅｒ-ＲＡＴモビリティ制御を行うことができるように構成されている。
【００２４】
すなわち、本実施形態に係る移動通信システムでは、移動局ＵＥは、ＷＣＤＭＡ方式の移動通信システムとの間でＲＲＣコネクションを確立している状態（例えば、Ｃｅｌｌ  ＰＣＨ状態）と、ＬＴＥ方式の移動通信システムとの間でＲＲＣコネクションを確立している状態（例えば、Ｃｏｎｎｅｃｔｅｄ状態）との間を遷移することができるように構成されている。
【００２５】
図２に示すように、移動局ＵＥは、プロファイル情報管理部１１と、ＬＴＥ方式用インターフェイス１２と、ＷＣＤＭＡ方式用インターフェイス１３とを具備している。
【００２６】
プロファイル情報管理部１１は、移動局ＵＥのプロファイル情報を管理するように構成されている。
【００２７】
ここで、プロファイル情報管理部１１は、移動局ＵＥのプロファイル情報の一種として「優先度（Ｐｒｉｏｒｉｔｙ）」を管理するように構成されている。「優先度（Ｐｒｉｏｒｉｔｙ）」は、移動局ＵＥにおいて待ち受けを行うＲＡＴを決定する際に用いられる優先度である。
【００２８】
図１の例では、ＷＣＤＭＡ方式の「優先度」は、ＬＴＥ方式の「優先度」よりも高い。かかる状態では、移動局ＵＥは、ＬＴＥ方式の移動通信システム配下のセルにおける待ち受けよりも、ＷＣＤＭＡ方式の移動通信システム配下のセルにおける待ち受けを優先的に行うように構成されている。
【００２９】
ＬＴＥ方式用インターフェイス１２は、ＬＴＥ方式の移動通信システムとの間のインターフェイスの役割を果たすものであり、ＷＣＤＭＡ方式用インターフェイス１３は、ＷＣＤＭＡ方式の移動通信システムとの間のインターフェイスの役割を果たすものである。
【００３０】
図３に示すように、交換局ＭＭＥは、プロファイル情報管理部２１と、受信部２２と、ページング信号送信部２３と、優先度通知部２４とを具備している。
【００３１】
プロファイル情報管理部２１は、所定の移動局ＵＥ、例えば、交換局ＭＭＥ配下のセルに在圏している移動局ＵＥのプロファイル情報を管理するように構成されている。
【００３２】
受信部２２は、交換局ＳＧＳＮや移動局ＵＥや移動管理サーバＨＬＲ等によって送信された各種信号を受信するように構成されている。
【００３３】
ページング信号送信部２３は、無線回線制御局ＲＮＣから、「Ｎｅｗ  Ｉｎｆｏ」を受信した場合に、無線基地局ｅＮＢに対して、移動局ＵＥ宛てのページング信号を送信するように指示する。
【００３４】
ここで、「Ｎｅｗ  Ｉｎｆｏ」は、移動局ＵＥに対して特定の通信方式の移動通信システムに遷移するように指示した旨の通知である。
【００３５】
例えば、「Ｎｅｗ  Ｉｎｆｏ」は、３ＧＰＰで規定されている「ＳＰＩＤ（Ｓｕｂｓｃｒｉｂｅｒ  Ｐｒｏｆｉｌｅ  ＩＤ）」の更新指示によって通知されてもよいし、ＲＡＮＡＰ/Ｓ１の「Ｒｅｌｅａｓｅ  Ｒｅｑｕｅｓｔ」内の情報要素や「Ｃａｕｓｅ値」によって通知されてもよい。
【００３６】
優先度通知部２４は、受信部２２によって「Ｎｅｗ  Ｉｎｆｏ」が受信された後に、所定信号、例えば、移動局ＵＥと無線基地局ｅＮＢとの間で確立されているＲＲＣコネクションの解放信号「ＲＲＣ  Ｃｏｎｎｅｃｔｉｏｎ  Ｒｅｌｅａｓｅ」によって、上述の「優先度」を通知するように構成されている。
【００３７】
例えば、受信部２２によって受信された「Ｎｅｗ  Ｉｎｆｏ」が、移動局ＵＥに対してＬＴＥ方式の移動通信システムに遷移するように指示した旨を示している場合、優先度通知部２４は、「ＲＲＣ  Ｃｏｎｎｅｃｔｉｏｎ  Ｒｅｌｅａｓｅ」によって、ＬＴＥ方式の「優先度」をＷＣＤＭＡ方式の「優先度」よりも高くなるように通知するように構成されている。
【００３８】
ここで、優先度通知部２４は、上述の「優先度」として、移動局ＵＥによって管理されている全てのＲＡＴの「優先度」を通知してもよいし、変更すべきＲＡＴの「優先度」のみを通知してもよいし、どのように各ＲＡＴの「優先度」を変更すべきかを示す情報を通知してもよい。
【００３９】
また、優先度通知部２４は、受信部２２によって「Ｎｅｗ  Ｉｎｆｏ」が受信された後に、移動局ＵＥが無線基地局ｅＮＢによって送信されたページング信号に応じて確立したＲＲＣコネクションの解放信号「ＲＲＣ  Ｃｏｎｎｅｃｔｉｏｎ  Ｒｅｌｅａｓｅ」によって、上述の「優先度」を通知してもよい。
【００４０】
或いは、優先度通知部２４は、受信部２２によって「Ｎｅｗ  Ｉｎｆｏ」が受信された後に、移動局ＵＥのＬＴＥ方式の移動通信システムへの位置登録処理を行う際に確立されたＲＲＣコネクションの解放信号「ＲＲＣ  Ｃｏｎｎｅｃｔｉｏｎ  Ｒｅｌｅａｓｅ」によって、上述の「優先度」を通知してもよい。
【００４１】
なお、図３に示す交換局ＭＭＥの機能は、移動管理サーバＨＬＲやｘＧＳＮ等のコアネットワーク装置の他の１つ又は複数の装置に設けられていてもよい。
【００４２】
図４に示すように、無線基地局ｅＮＢは、受信部２５と、ページング信号送信部２６と、優先度通知部２６とを具備している。
【００４３】
受信部２５は、移動局ＵＥや交換局ＭＭＥ等によって送信された各種信号を受信するように構成されている。
【００４４】
ページング信号送信部２６は、交換局ＭＭＥからの指示に応じて、移動局ＵＥ宛てのページング信号を送信するように構成されている。
【００４５】
優先度通知部２７は、交換局ＭＭＥからの指示に応じて、所定信号、例えば、移動局ＵＥとの間で確立されているＲＲＣコネクションの解放信号「ＲＲＣ  Ｃｏｎｎｅｃｔｉｏｎ  Ｒｅｌｅａｓｅ」によって、上述の「優先度」を通知するように構成されている。
【００４６】
ここで、優先度通知部２７は、上述の「優先度」として、移動局ＵＥによって管理されている全てのＲＡＴの「優先度」を通知してもよいし、変更すべきＲＡＴの「優先度」のみを通知してもよいし、どのように各ＲＡＴの「優先度」を変更すべきかを示す情報を通知してもよい。
【００４７】
また、優先度通知部２４は、移動局ＵＥがページング信号送信部２６によって送信されたページング信号に応じて確立したＲＲＣコネクションの解放信号「ＲＲＣ  Ｃｏｎｎｅｃｔｉｏｎ  Ｒｅｌｅａｓｅ」によって、上述の「優先度」を通知してもよい。
【００４８】
或いは、優先度通知部２４は、移動局ＵＥのＬＴＥ方式の移動通信システムへの位置登録処理を行う際に確立されたＲＲＣコネクションの解放信号「ＲＲＣ  Ｃｏｎｎｅｃｔｉｏｎ  Ｒｅｌｅａｓｅ」によって、上述の「優先度」を通知してもよい。
【００４９】
なお、優先度通知部２７は、ページング信号送信部２６によって送信されたページング信号に応じて移動局ＵＥから「ＲＲＣ  Ｃｏｎｎｅｃｔｉｏｎ  Ｓｅｔｕｐ  Ｃｏｍｐｌｅｔｅ」を受信した場合、交換局ＭＭＥからの指示によることなく、当該「ＲＲＣ  Ｃｏｎｎｅｃｔｉｏｎ  Ｓｅｔｕｐ  Ｃｏｍｐｌｅｔｅ」に係るＲＲＣコネクションの解放信号「ＲＲＣ  Ｃｏｎｎｅｃｔｉｏｎ  Ｒｅｌｅａｓｅ」によって、上述の「優先度」を通知してもよい。
【００５０】
（本発明の第１の実施形態に係る移動通信システムの動作）
図５を参照して、本発明の第１の実施形態に係る移動通信システムの動作について説明する。
【００５１】
図５に示すように、ステップＳ１０００において、移動局ＵＥが、無線回線制御局ＲＮＣとの間でＲＲＣコネクションを確立している場合に、ステップＳ１００１において、無線回線制御局ＲＮＣが、移動局ＵＥに対して、ＬＴＥ方式の移動通信システムへの「Ｒｅｄｉｒｅｃｔｉｏｎ指示」を含む「ＲＲＣ  Ｃｏｎｎｅｃｔｉｏｎ  Ｒｅｌｅａｓｅ（当該ＲＲＣコネクションの解放信号）」を送信する。
【００５２】
ステップＳ１００２Ａにおいて、移動局ＵＥは、ＬＴＥ方式の移動通信システムに遷移することを決定し、ステップＳ１００３Ａにおいて、移動局ＵＥは、交換局ＭＭＥに対して、「Ｔｒａｃｋｉｎｇ  Ａｒｅａ  Ｕｐｄａｔｅ」を送信する。
【００５３】
その後、ステップＳ１００４Ａにおいて、交換局ＭＭＥは、移動管理サーバＨＬＲに対して「Ｕｐｄａｔｅ  Ｌｏｃａｔｉｏｎ  Ｒｅｑｕｅｓｔ」を送信し、ステップＳ１００５Ａにおいて、移動管理サーバＨＬＲは、交換局ＭＭＥに対して「Ｕｐｄａｔｅ  Ｌｏｃａｔｉｏｎ  Ａｎｓｗｅｒ」を送信する。この結果、移動局ＵＥのＬＴＥ方式の移動通信システムに対する位置登録処理が完了する。
【００５４】
一方、ステップＳ１００２Ｂにおいて、無線回線制御局ＲＮＣは、交換局ＳＧＳＮに対して、「Ｎｅｗ  Ｉｎｆｏ」を含む「Ｉｕ  Ｒｅｌｅａｓｅ  Ｒｅｑｕｅｓｔ」を送信し、ステップＳ１００３Ｂにおいて、交換局ＳＧＳＮは、交換局ＭＭＥに対して、「Ｎｅｗ  Ｉｎｆｏ」を送信する。
【００５５】
ここで、「Ｎｅｗ  Ｉｎｆｏ」は、移動局ＵＥに対してＬＴＥ方式の移動通信システムへの「Ｒｅｄｉｒｅｃｔｉｏｎ指示」を送信した旨を示す通知である。
【００５６】
ステップＳ１００４Ｂにおいて、交換局ＭＭＥは、「Ｎｅｗ  Ｉｎｆｏ」に応じて、移動局ＵＥがＬＴＥ方式の移動通信システムに対して「Ｒｅｄｉｒｅｃｔｉｏｎ処理」を行っている状態であると認識し、移動局ＵＥのＬＴＥ方式の移動通信システムへの接続処理を開始することなく待機する。
【００５７】
ステップＳ１００６において、交換局ＭＭＥは、無線基地局ｅＮＢに対して、移動局ＵＥ宛てのページング信号を送信するように指示する。
【００５８】
ステップＳ１００７において、無線基地局ｅＮＢは、交換局ＭＭＥからの指示に応じて、移動局ＵＥ宛てのページング信号を送信する。  
ステップＳ１００８において、移動局ＵＥは、受信したページング信号に応じて、無線基地局ｅＮＢに対して、「ＲＲＣ  Ｃｏｎｎｅｃｔｉｏｎ  Ｒｅｑｕｅｓｔ」を送信し、ステップＳ１００９において、無線基地局ｅＮＢは、移動局ＵＥに対して、「ＲＲＣ  Ｃｏｎｎｅｃｔｉｏｎ  Ｓｅｔｕｐ」を送信し、ステップＳ１０１０において、無線基地局ｅＮＢは、移動局ＵＥに対して、「ＲＲＣ  Ｃｏｎｎｅｃｔｉｏｎ  Ｓｅｔｕｐ  Ｃｏｍｐｌｅｔｅ」を送信する。
【００５９】
ステップＳ１０１１において、無線基地局ｅＮＢは、交換局ＭＭＥに対して、移動局ＵＥとの間のＲＲＣコネクションの確立が完了したことを通知する。
【００６０】
ステップＳ１０１２において、交換局ＭＭＥは、無線基地局ｅＮＢからの通知に応じて、無線基地局ｅＮＢに対して、当該ＲＲＣコネクションを解放するように指示する。
【００６１】
ここで、ＷＣＤＭＡ方式の移動通信システムにおいて移動局ＵＥについての未送受信中のデータが存在している場合には、交換局ＭＭＥは、これらのデータの送受信を当該ＲＲＣコネクションを介して完了させた後に、無線基地局ｅＮＢに対して、当該ＲＲＣコネクションを解放するように指示してもよい。
【００６２】
ステップＳ１０１３において、無線基地局ｅＮＢは、交換局ＭＭＥからの指示に応じて、移動局ＵＥに対して、上述の「優先度」含む「ＲＲＣ  Ｃｏｎｎｅｃｔｉｏｎ  Ｒｅｌｅａｓｅ」を送信する。
【００６３】
その後、移動局ＵＥは、受信した「ＲＲＣ  Ｃｏｎｎｅｃｔｉｏｎ  Ｒｅｌｅａｓｅ」に含まれる「優先度」に基づいて、プロファイル情報として管理している「優先度」を更新する。
【００６４】
（本発明の第１の実施形態に係る移動通信システムの作用・効果）
本発明の第１の実施形態に係る移動通信システムによれば、移動局ＵＥが、管理している「優先度」を、Ｒｅｄｉｒｅｃｔｉｏｎ後の移動通信システムにおいて送信される「ＲＲＣ  Ｃｏｎｎｅｃｔｉｏｎ  Ｒｅｌｅａｓｅ」に含まれる「優先度」に基づいて変更するため、移動局ＵＥが、第１通信方式の移動通信システムから第２通信方式の移動通信システムへのＲｅｄｉｒｅｃｔｉｏｎ後、即座に、第１通信方式の移動通信システムに戻ってきてしまうという問題点を解決することができる。
【００６５】
（変更例１）
図６及び図７を参照して、上述の第１の実施形態に係る移動通信システムの変更例１について説明する。以下、本変更例１に係る移動通信システムについて、上述の第１の実施形態に係る移動通信システムとの相違点に着目して説明する。
【００６６】
図６に示すように、本変更例１に係る無線回線制御局ＲＮＣは、判断部３１と、ＵＥインターフェイス３２とを具備している。
【００６７】
判断部３１は、無線回線制御局ＲＮＣとの間でＲＲＣコネクションを確立している状態の移動局ＵＥの位置とＬＴＥ方式の移動通信システム配下のセルの配置とに基づいて、移動局ＵＥに対してＬＴＥ方式の移動通信システムに遷移するように指示するべきか否かについて判断するように構成されている。
【００６８】
ここで、判断部３１は、ＷＣＤＭＡ方式の移動通信システム配下のセルの配置及びＬＴＥ方式の移動通信システム配下のセルの配置を管理するように構成されている。
【００６９】
また、判断部３１は、各セルにおいて提供されている通信サービスの種類について管理するように構成されている。
【００７０】
したがって、判断部３１は、無線回線制御局ＲＮＣとの間でＲＲＣコネクションを確立しており所定通信を行っている状態の移動局ＵＥの位置が、かかる所定通信を提供しているＬＴＥ方式の移動通信システム配下のセル内に対応すると判断した場合に、移動局ＵＥに対してＬＴＥ方式の移動通信システムに遷移するように指示するべきであると判断してもよい。
【００７１】
なお、判断部３１は、移動局ＵＥによって送信される「Ｃｅｌｌ  Ｕｐｄａｔｅ」に基づいて、かかる移動局ＵＥの位置を算出してもよい。
【００７２】
ＵＥインターフェイス３２は、無線回線制御局ＲＮＣ配下のセルに在圏する各移動局ＵＥとの間のインターフェイスの役割を果たすものである。
【００７３】
以下、図７を参照して、本変更例１に係る移動通信システムの動作について説明する。
【００７４】
図７に示すように、移動局ＵＥは、ステップＳ２０００において、「ＣＥＬＬ  ＦＡＣＨ/ＰＣＨ状態」である場合に、ステップＳ２００１において、ＲＡＣＨ（Ｒａｎｄｏｍ  Ａｃｃｅｓｓ  Ｃｈａｎｎｅｌ）を介して、無線回線制御局ＲＮＣに対して、移動局ＵＥにおける測定結果（例えば、隣接セルの無線品質の測定結果等）を含む「Ｃｅｌｌ  Ｕｐｄａｔｅ」を送信する。
【００７５】
ステップＳ２００２において、無線回線制御局ＲＮＣは、「Ｃｅｌｌ  Ｕｐｄａｔｅ」に含まれる測定結果を用いて算出された移動局ＵＥの位置及びＬＴＥ方式の移動通信システム配下のセルの配置を参照して、移動局ＵＥに対してＬＴＥ方式の移動通信システムに遷移するように指示するべきであると判断する。
【００７６】
ステップＳ２００３において、無線回線制御局ＲＮＣが、移動局ＵＥに対して、ＬＴＥ方式の移動通信システムへの「Ｒｅｄｉｒｅｃｔｉｏｎ指示」を含む「ＲＲＣ  Ｃｏｎｎｅｃｔｉｏｎ  Ｒｅｌｅａｓｅ（当該ＲＲＣコネクションの解放信号）」を送信する。
【００７７】
ステップＳ２００４において、移動局ＵＥは、受信した当該「Ｒｅｄｉｒｅｃｔｉｏｎ指示」を含む「ＲＲＣ  Ｃｏｎｎｅｃｔｉｏｎ  Ｒｅｌｅａｓｅ」に応じて、無線基地局ｅＮＢに対して、「ＲＲＣ  Ｃｏｎｎｅｃｔｉｏｎ  Ｒｅｑｕｅｓｔ」を送信する。
【００７８】
ステップＳ２００５において、無線基地局ｅＮＢは、移動局ＵＥに対して、「ＲＲＣ  Ｃｏｎｎｅｃｔｉｏｎ  Ｓｅｔｕｐ」を送信し、ステップＳ２００６において、無線基地局ｅＮＢは、移動局ＵＥに対して、「ＲＲＣ  Ｃｏｎｎｅｃｔｉｏｎ  Ｓｅｔｕｐ  Ｃｏｍｐｌｅｔｅ」を送信する。
【００７９】
ステップＳ２００７において、無線基地局ｅＮＢは、交換局ＭＭＥに対して、移動局ＵＥとの間のＲＲＣコネクションの確立が完了したことを通知する。
【００８０】
ステップＳ２００８において、交換局ＭＭＥは、無線基地局ｅＮＢからの通知に応じて、無線基地局ｅＮＢに対して、当該ＲＲＣコネクションを解放するように指示する。
【００８１】
ここで、ＷＣＤＭＡ方式の移動通信システムにおいて移動局ＵＥについての未送受信中のデータが存在している場合には、交換局ＭＭＥは、これらのデータの送受信を当該ＲＲＣコネクションを介して完了させた後に、無線基地局ｅＮＢに対して、当該ＲＲＣコネクションを解放するように指示してもよい。
【００８２】
ステップＳ２００９において、無線基地局ｅＮＢは、交換局ＭＭＥからの指示に応じて、移動局ＵＥに対して、上述の「優先度」含む「ＲＲＣ  Ｃｏｎｎｅｃｔｉｏｎ  Ｒｅｌｅａｓｅ」を送信する。
【００８３】
その後、移動局ＵＥは、受信した「ＲＲＣ  Ｃｏｎｎｅｃｔｉｏｎ  Ｒｅｌｅａｓｅ」に含まれる「優先度」に基づいて、プロファイル情報として管理している「優先度」を更新する。
【００８４】
（変更例２）
上述の第１の実施形態及び変更例１に係る移動通信システムでは、移動局ＵＥがＷＣＤＭＡ方式の移動通信システムからＬＴＥ方式の移動通信システムに遷移するケースを例に挙げて説明したが、本発明は、かかるケースに限定されることなく、移動局ＵＥがＬＴＥ方式の移動通信システムからＷＣＤＭＡ方式の移動通信システムに遷移するケースにも適用可能である。
【００８５】
かかるケースでは、交換局ＳＧＳＮが、図３に示す交換局ＭＭＥの機能を具備し、無線回線制御局ＲＮＣが、図４に示す無線基地局ｅＮＢの機能を具備するように構成されている。
【００８６】
以上に述べた本実施形態の特徴は、以下のように表現されていてもよい。
【００８７】
本実施形態の第１の特徴は、移動通信方法であって、無線回線制御局ＲＮＣ（第１通信方式の無線アクセスネットワーク装置）が、無線回線制御局ＲＮＣとの間でＲＲＣコネクション＃１（第１無線コネクション）を確立している状態の移動局ＵＥに対して、ＬＴＥ方式（第２通信方式）の移動通信システムに遷移するように指示する工程Ａと、移動局ＵＥが、無線基地局ｅＮＢ（第２通信方式の無線アクセスネットワーク装置）との間でＲＲＣコネクション＃２（第２無線コネクション）を確立した後、ＬＴＥ方式の移動通信システムが、移動局ＵＥに対して、所定信号（例えば、ＲＲＣコネクション＃２の解放信号）によって、移動局ＵＥにおいて待ち受けを行うＲＡＴ（通信方式）を決定する際に用いられる優先度を通知する工程Ｂとを有することを要旨とする。
【００８８】
本実施形態の第２の特徴は、移動通信方法であって、無線回線制御局ＲＮＣが、無線回線制御局ＲＮＣとの間でＲＲＣコネクション＃１を確立している状態の移動局ＵＥに対して、ＬＴＥ方式の移動通信システムに遷移するように指示する工程Ａと、無線回線制御局ＲＮＣが、ＬＴＥ方式の移動通信システムに対して、移動局ＵＥに対して上述の指示を行ったことを通知する工程Ｂと、ＬＴＥ方式の移動通信システムが、かかる通知に応じて、移動局ＵＥ宛てのページング信号を送信する工程Ｃと、移動局ＵＥが、自局宛てのページング信号に応じて、無線基地局ｅＮＢに対して、ＲＲＣコネクション＃２の確立を要求する信号「ＲＲＣ  Ｃｏｎｎｅｃｔｉｏｎ  Ｒｅｑｕｅｓｔ」を送信する工程Ｄとを有することを要旨とする。
【００８９】
本実施形態の第１又は第２の特徴において、工程Ａにおいて、無線回線制御局ＲＮＣは、移動局ＵＥの位置とＬＴＥ方式の移動通信システム配下のセルの配置とに基づいて、移動局ＵＥに対して、上述の指示を行ってもよい。
【００９０】
本実施形態の第３の特徴は、無線基地局ｅＮＢであって、無線回線制御局ＲＮＣとの間でＲＲＣコネクション＃１を確立している状態の移動局ＵＥが、無線回線制御局ＲＮＣからの指示に応じて、ＬＴＥ方式の移動通信システムに遷移し、無線基地局ｅＮＢとの間でＲＲＣコネクション＃２を確立した後、所定信号（例えば、ＲＲＣコネクション＃２の解放信号「ＲＲＣ  Ｃｏｎｎｅｃｔｉｏｎ  Ｒｅｌｅａｓｅ」）によって、移動局ＵＥにおいて待ち受けを行うＲＡＴを決定する際に用いられる優先度を通知するように構成されている優先度通知部２７を具備することを要旨とする。
【００９１】
本実施形態の第４の特徴は、無線基地局ｅＮＢであって、無線回線制御局ＲＮＣから、無線回線制御局ＲＮＣとの間でＲＲＣコネクション＃１を確立している状態の移動局ＵＥに対して、ＬＴＥ方式の移動通信システムに遷移するように指示を行った旨の通知を受信した場合に、移動局ＵＥ宛てのページング信号を送信するように構成されているページング信号送信部２６を具備することを要旨とする。
【００９２】
本実施形態の第５の特徴は、交換局ＭＭＥ（第２通信方式の交換局）であって、無線回線制御局ＲＮＣとの間でＲＲＣコネクション＃１を確立している状態の移動局ＵＥが、無線回線制御局ＲＮＣからの指示に応じて、ＬＴＥ方式の移動通信システムに遷移し、無線基地局ｅＮＢとの間でＲＲＣコネクション＃２を確立した後、無線基地局ｅＮＢに対して、ＲＲＣコネクション＃２の解放信号によって、移動局ＵＥにおいて待ち受けを行うＲＡＴを決定する際に用いられる優先度を通知するように指示する優先度通知部２４を具備することを要旨とする。
【００９３】
本実施形態の第６の特徴は、交換局ＭＭＥであって、無線回線制御局ＲＮＣから、無線回線制御局ＲＮＣとの間でＲＲＣコネクション＃１を確立している状態の移動局ＵＥに対して、ＬＴＥ方式の移動通信システムに遷移するように指示を行った旨の通知を受信した場合に、無線基地局ｅＮＢに対して、移動局ＵＥ宛てのページング信号を送信するように指示するページング信号送信部２３を具備することを要旨とする。
【００９４】
本実施形態の第７の特徴は、無線回線制御局ＲＮＣであって、無線回線制御局ＲＮＣとの間でＲＲＣコネクション＃１を確立している状態の移動局ＵＥの位置とＬＴＥ方式の移動通信システム配下のセルの配置とに基づいて、移動局ＵＥに対してＬＴＥ方式の移動通信システムに遷移するように指示するべきか否かについて判断するように構成されている判断部３１を具備することを要旨とする。
【００９５】
なお、上述の移動管理サーバＨＬＲや交換局ＳＧＳＮや無線回線制御局ＲＮＣや交換局ＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００９６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理サーバＨＬＲや交換局ＳＧＳＮや無線回線制御局ＲＮＣや交換局ＭＭＥや無線基地局ｅＮＢや移動局ＵＥ内に設けられていてもよい。また、かかる記憶媒体及びプロセッサは、ディスクリートコンポーネントとして移動管理サーバＨＬＲや交換局ＳＧＳＮや無線回線制御局ＲＮＣや交換局ＭＭＥや無線基地局ｅＮＢや移動局ＵＥ内に設けられていてもよい。
【００９８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９９】
ＵＥ…移動局
１１、２１…プロファイル情報管理部
１２…ＬＴＥ方式用インターフェイス
１３…ＷＣＤＭＡ方式用インターフェイス
ＭＭＥ…交換局
ｅＮＢ…無線基地局
２２、２５…受信部
２３、２６…ページング信号送信部
２４、２７…優先度通知部
ＲＮＣ…無線回線制御局
３１…判定部
３２…ＵＥインターフェイス
【図１】
2011044915.tif 000003
【図２】
2011044915.tif 000004
【図３】
2011044915.tif 000005
【図４】
2011044915.tif 000006
【図５】
2011044915.tif 000007
【図６】
2011044915.tif 000008
【図７】
2011044915.tif 000009